(57)【要約】【課題】  作業員の手元近くの場所に、工事に用いる多数の工具や資材を保持することができる物品吊下げ具を提供する。【解決手段】外枠２０の内側に格子状体３０が形成されると共に、工具又は資材を収容する収容手段（収容袋５０）が格子状体３０内に脱着自在に取り付けられる。【選択図】      図１
2007075962.tif 000002
【特許請求の範囲】
【請求項１】
電柱に基端部が片手持ち梁状に固定されると共に工事作業に用いられる工具又は資材を収容する収容手段を具備する物品吊下げ具であって、
外枠の内側に格子状体が形成され、
前記収容手段は、前記格子状体内に脱着自在に取り付けられることを特徴とする物品吊下げ具。
【請求項２】
請求項１において、前記格子状体は、複数の各格子状体の全部又は一部に取り付けた複数の収容手段を具備することを特徴とする物品吊下げ具。
【請求項３】
請求項１又は２において、前記収容手段は、上端に開閉自在な開口部を有する袋であることを特徴とする物品吊下げ具。
【請求項４】
請求項３において、前記袋は、前記開口部から底部までの長さを変更できる長さ変更手段を具備することを特徴とする物品吊下げ具。
【請求項５】
請求項４において、前記変更手段は、ファスナーであることを特徴とする物品吊下げ具。
【発明の詳細な説明】
【技術分野】
【０００１】
本発明は、電柱に固定されて高所工事作業に用いられる工具又は資材を保持する物品吊下げ具に関する。
【背景技術】
【０００２】
電柱上で行なう配線工事のように高所で工事作業を行なう場合には、通常の工事作業とは異なり、作業員が所望する場所に工事に用いられる工具や資材を置いておくことができず、工事の作業効率を低下させる要因の一つとなっていた。特に、間接活線工事では、工事の作業効率の低下が顕著であった。すなわち、間接活線工事では、感電を防止するために、作業員は棒状のホットスティックの下端部を持ち、そのホットスティックの先端部に取り付けられた先端工具を間接操作して工事作業を行う必要があるため、ホットスティックに取り付ける先端工具などの多数の工具や資材が必要となる。したがって、間接活線工事においては、工具や資材が作業員の手元にないということが特に大きな問題となっていた。
【０００３】
この問題に対して、従来は、作業員の足場としても利用することができる物品吊下げ具に工事に用いられる工具や資材などを収容することにより、作業効率の低下を防止してきた。
【０００４】
図９は、従来の物品吊下げ具を示す概略斜視図である。図９に示すように、従来の物品吊下げ具５００は、電柱１００に基端部が片手持ち梁状に固定された足場部材５１０にフック５２０ａ、５２０ｂを介して工具袋５５０ａ、５５０ｂが吊下げられている。この工具袋５５０ａ、５５０ｂの開口部は環状部材５５８ａ、５５８ｂによりその形状が保持されており、収容された工具や資材などが容易に取り出せるようになっている。そして、この物品吊下げ具５００は、作業員を足場部材５１０上に乗せることができ、工具や資材などが必要となった場合には、足場部材５１０に吊下げられた工具袋５５０ａ、５５０ｂから必要となる工具などを取り出すことができるようになっている。
【０００５】
しかしながら、このような物品吊下げ具５００では、様々な長さや大きさの工具などを共に工具袋５５０ａ、５５０ｂに収容するため、工具袋５５０ａ、５５０ｂ内でそれらの工具などが重なり合ってしまい、目的とする工具を取り出しにくいという問題や、目的とする工具を探すのに時間がかかるという問題があり、さらには工具袋５５０ａ、５５０ｂ内で工具や資材同士が衝突し、工具や資材などが破損するという問題があった。また、このような物品吊下げ具５００では、工具袋５５０ａ、５５０ｂの上部が常に開口されているため、工具などを工具袋５５０ａ、５５０ｂに収容したままで電柱１００に取り付ける場合には、工具などが落下するおそれがあるという問題があった。
【０００６】
一方、工具などを収容できる小物入れや工具用吊下げ具がいくつか提案されている（特許文献１及び２参照）。しかしながら、これらのものは、多くの工具や資材などを収容することができないという問題があった。
【０００７】
【特許文献１】登録実用新案３０２１４００号公報
【特許文献２】特開２００５−４０８６７号公報
【発明の開示】
【発明が解決しようとする課題】
【０００８】
本発明は、上述した事情に鑑み、作業員の手元近くの場所に、工事に用いる多数の工具や資材などを保持することができる物品吊下げ具を提供することを目的とする。
【課題を解決するための手段】
【０００９】
上記課題を解決する本発明の第１の態様は、電柱に基端部が片手持ち梁状に固定されると共に工事作業に用いられる工具又は資材を収容する収容手段を具備する物品吊下げ具であって、外枠の内側に格子状体が形成され、前記収容手段は、前記格子状体内に脱着自在に取り付けられることを特徴とする物品吊下げ具にある。
【００１０】
かかる第１の態様では、作業員の手元近くの場所に、工事に用いる工具や資材を置いておくことができる。
【００１１】
本発明の第２の態様は、第１の態様において、前記格子状体は、複数の各格子状体の全部又は一部に取り付けた複数の収容手段を具備することを特徴とする物品吊下げ具にある。
【００１２】
かかる第２の態様では、多数の工具や資材を工具ごと又は資材ごとにまとめて保持することができる。
【００１３】
本発明の第３の態様は、第１又は２の態様において、前記収容手段は、上端に開閉自在な開口部を有する袋であることを特徴とする物品吊下げ具にある。
【００１４】
かかる第３の態様では、物品吊下げ具を電柱に吊下げる際に、収容袋に収容された工具や資材などの落下を防止することができる。
【００１５】
本発明の第４の態様は、第３の態様において、前記袋は、前記開口部から底部までの長さを変更できる長さ変更手段を具備することを特徴とする物品吊下げ具にある。
【００１６】
かかる第４の態様では、様々な大きさの工具や資材を収容することができる。
【００１７】
本発明の第５の態様は、第４の態様において、前記変更手段は、ファスナーであることを特徴とする物品吊下げ具にある。
【００１８】
かかる第５の態様では、より容易に開口部から底部までの長さを変更することができる。
【発明の効果】
【００１９】
本発明に係る物品吊下げ具によると、作業員の手元近くの場所に工事に用いる多数の工具や資材を保持することができるので、工事の作業効率を向上させることができる。
【発明を実施するための最良の形態】
【００２０】
以下、本発明を実施するための最良の形態について説明する。なお、本実施形態の説明は例示であり、本発明は以下の説明に限定されない。
【００２１】
（実施形態１）
図１は、本発明の実施形態１に係る物品吊下げ具を示す概略斜視図である。図１に示すように、本実施形態の物品吊下げ具１は、電柱１００に基端部が片手持ち梁状に固定され、先端部が電柱１００に対して水平方向に突出するように設けられる水平部材１０を具備している。そして、水平部材１０上には外枠２０が固定されており、外枠２０により形成される平面が水平方向になるようになっている。外枠２０の内側には、棒状部材２１が柵状に複数設けられており、外枠２０及び棒状部材２１と、水平部材１０とが略垂直になるように外枠２０を水平部材１０上に固定することにより、格子状体３０が複数形成されるようになっている。そして、格子状体３０の内側には、収容手段である収容袋５０が複数脱着自在に取り付けられている。なお、本実施形態の物品吊下げ具１には、一端が水平部材１０に取り付けられると共に他端が水平部材１０より下方の位置で電柱１００に固定されるタイロッド６０が設けられており、水平部材１０の先端部が下方に傾くのを防止するようになっている。
【００２２】
次に、収容袋５０について具体的に説明する。図２は、本実施形態に係る収容袋５０を示す概略斜視図であり、図３は収容袋５０を示す概略上面図であり、図４は収容袋５０を示す概略下面図である。そして、図５は図３に示すＡ−Ａ’線における概略断面図である。図２及び図３に示すように、収容袋５０は、収容袋本体５１の上方に略直方形の開口部５２が設けられており、開口部５２を介して工具や資材などを収容できるようになっている。開口部５２を形成する４辺のうちの対向する一組の辺には、開口保持部材５３ａ、５３ｂが取り付けられており、開口部５２の形状を保つことができるようになっている。そして、開口保持部材５３ａ、５３ｂの長手方向の両端部には、開口保持部材５３ａ、５３ｂの長手方向に延びる取付部材５４ａ〜５４ｄが延設されている。また、開口保持部材５３ａ、５３ｂの中央部には、それぞれ開口部５２の外側垂直方向に延びる取付部材５４ｅ、５４ｆが取り付けられている。そして、取付部材５４ａ〜５４ｆを介して、収容袋５０を格子状体３０内に脱着自在に取り付けられるようになっている。
【００２３】
具体的には、各取付部材５４ａ〜５４ｆのそれぞれには取付孔５５ａ〜５５ｆが設けられており、各取付部材５４ａ〜５４ｆのそれぞれが図１に示すように、格子状体３０を形成する水平部材１０、棒状部材２１又は外枠２０の周囲を上方から巻き込んで、図４及び図５に示す収容袋本体５１の外側側面に設けられたボタン５６ａ〜５６ｆに取付孔５５ａ〜５５ｆを介して係止される。このようにして、収容袋５０は格子状体３０内に脱着自在に取り付けられるようになっている。
【００２４】
また、開口保持部材５３ａ、５３ｂが取り付けられていない辺に接続される収容袋本体５１の側面及び下面は、図３〜図５に示すように蛇腹状に形成されている。したがって、収容袋５０は、取付部材５４ｅ、５４ｆの何れか一方を図１に示す水平部材１０、棒状部材２１又は外枠２０から取り外して蛇腹状に形成された収容袋本体５１の側面及び下面を折り畳むことにより、図６に示すように、収容袋５０の開口部５２を閉じることができるようになっている。なお、本実施形態では、収容袋本体５１の蛇腹状の部分を小さく折りたたむことができるので、図６に示すように開口部５２を完全に閉じることができるようになっている。しかしながら、収容袋本体５１の蛇腹部分を小さく折り畳むことができない場合には、開口部５２を完全に閉じることができなくてもよい。
【００２５】
また、本実施形態では、図３及び図５に示すように、収容袋本体５１内側の開口保持部材５３ａ、５３ｂ近傍の側面にベルクロ（Velcro）５７ａ〜５７ｄが設けられており、開口部５２が閉じた際にベルクロ５７ａ〜５７ｄにより固定され、開口部５２が閉じた状態を保つことができるようになっている。本実施形態の収容袋５０は、このように開口部５２を閉じることができると共にその状態を保つことができるので、工具や資材などが収容された物品吊下げ具１を電柱に取り付ける際に、工具や資材などが物品吊下げ具１から落下するのを防止することができる。
【００２６】
以上説明したように、本実施形態に係る物品吊下げ具１によれば、収容袋５０は脱着可能に複数取り付けられているので、作業員は物品吊下げ具１の任意の位置に所望の工具のみが収容された収容袋５０を取り付けることができる。すなわち、本実施形態に係る物品吊下げ具１によれば、作業員の手元近くの場所に工事に用いる多数の工具や資材を工具ごと又は資材ごとにまとめて保持することができる。そして、この物品吊下げ具１は、高所での工事に有用なものであるが、特に間接活線工事に有用なものである。なお、本実施形態の物品吊下げ具１は、作業員の足場としても利用することができる。以下に、物品吊下げ具１を構成する構成要素について具体的に説明する。
【００２７】
水平部材１０は、水平部材１０上に固定される外枠２０などの荷重に耐えることができるものであれば特に限定されないが、軽量で剛性が高いものが好ましいのはいうまでもない。
【００２８】
外枠２０は、外枠２０に取り付けられる収容袋５０やその収容袋５０に収容される工具などの荷重に耐えることができるものであれば特に限定されないが、水平部材１０と同様に軽量で剛性が高いものが好ましいのはいうまでもない。
【００２９】
棒状部材２１は、外枠２０と同様に、棒状部材２１に取り付けられる収容袋５０やその収容袋５０に収容される工具などの荷重に耐えることができるものであれば特に限定されないが、軽量で剛性が高いものが好ましいのはいうまでもない。
【００３０】
タイロッド６０は、水平部材１０の先端部が下方に傾くのを防止することができるものであれば特に限定されない。
【００３１】
次に、収容袋５０を構成する構成要素について具体的に説明する。収容袋本体５１は可撓性を有し、工具などを収容することができるものであれば特に限定されない。
【００３２】
開口保持部材５３ａ、５３ｂは開口部５２の形状を保つことができるものであれば特に限定されない。
【００３３】
取付部材５４ａ〜５４ｆは、可撓性を有し、取付孔５５ａ〜５５ｆを設けることができるものであれば特に限定されない。
【００３４】
取付孔５５ａ〜ｆ及びボタン５６ａ〜５６ｆは、取付孔５５ａ〜５５ｆにボタン５６ａ〜５６ｆを通して、取付部材５４ａ〜５４ｆの先端部を収容袋本体５１に係止することができるものであれば特に限定されない。
【００３５】
ベルクロ５７ａ〜５７ｄは特に限定されない。
【００３６】
（実施形態２）
実施形態１に係る物品吊下げ具１の収容袋５０は、上述したように開口部５２を閉じることができるようになっていたが、さらに開口部から底部までの長さを変えることができる変更手段を具備するようにしてもよい。なお、本実施形態の物品吊下げ具は、収容袋以外は上述した物品吊下げ具１と同様である。
【００３７】
図７に本実施形態の収容袋５０Ａの概略側面図を示す。図７に示すように、本実施形態の収容袋５０Ａを構成する収容袋本体５１Ａは、実施形態１の収容袋本体５１とは異なり蛇腹状に形成されておらず、３つの収容部５８ａ〜５８ｃに区切られている。そして、最も上方に位置する収容部５８ａの下端部に、ファスナー（ｆａｓｔｅｎｅｒ）の一部を構成するファスナー構成部材７１ａが水平方向に収容部５８ａの全周囲に亘って設けられると共に、収容部５８ａの下方に位置する収容部５８ｂの下端部にファスナー構成部材７１ａに対応するファスナー構成部材７１ｂが水平方向に収容部５８ｂの全周囲に亘って設けられている。本実施形態では、ファスナー構成部材７１ａ、７１ｂが変更手段に該当する。そして、ファスナー構成部材７１ａ、７１ｂを結合させることにより必要に応じて収容袋５０Ａの開口部５２Ａから底部５９Ａまでの長さを変えることができるようになっている。すなわち、工具や資材などの長さが収容袋５０Ａの開口部５２Ａから底部５９Ａまでの長さと同程度の場合には、開口部５２Ａから底部５９Ａまでの長さを変えることなく収容袋５０Ａをそのまま使用することができる。そして、工具や資材の長さが収容袋５０Ａの開口部５２Ａから底部５９Ａまでの長さと比較して、短い場合にはファスナー構成部材７１ａとファスナー構成部材７１ｂとを結合させることにより、図８に示すように、収容袋５０Ａの開口部５２Ａから底部５９Ａまでの長さを変更することができるようになっている。なお、ファスナー構成部材７１ａとファスナー構成部材７１ｂとを結合させた場合には、収容部５８ｂは収容袋５０の内部に収容されることになる。以下に、物品吊下げ具を構成する構成要素について具体的に説明する。
【００３８】
収容袋本体５１Ａは、上述した収容袋本体５１と同様に、可撓性を有し、工具などを収容することができるものであれば特に限定されない。
【００３９】
ファスナー構成部材７１ａ、７１ｂは、結合することによりファスナーとしての機能を有するものであれば特に限定されない。なお、その他の構成要素は上述した物品吊下げ具１と同様であるため、同一の符号を付して説明を省略する。
【００４０】
以上説明したように、本実施形態に係る物品吊下げ具によれば、実施形態１に係る物品吊下げ具１と同様に、作業員は物品吊下げ具１の任意の位置に収容袋５０を取り付けることができ、さらに収容袋５０Ａには様々な大きさの工具や資材を収容することができる。
【００４１】
（他の実施形態）
実施形態１及び２では、ボタン５６ａ〜５６ｆ及び取付孔５５ａ〜５５ｆを用いて、格子状体３０の内側に収容袋５０が脱着自在に取り付けられるようになっているが、格子状体３０の内側に収容袋５０を脱着自在に取り付けることができるものであれば特に限定されない。例えば、ベルクロや磁石などを用いて格子状体３０の内側に収容袋５０が脱着自在に取り付けられるようにしてもよい。
【００４２】
また、実施形態１及び２では、収容袋本体５１の側面に設けられたベルクロ５７ａ〜５７ｄにより、開口部５２が閉じた状態を保つことができるようになっているが、開口部５２が閉じた状態を保つことができるものであれば特に限定されない。例えば、ボタン、ファスナー又は磁石などを用いて開口部５２が閉じた状態を保つことができるようにしてもよい。
【００４３】
さらに、実施形態１及び２では、収容手段として上述した収容袋５０、５０Ａを用いているが、格子状体３０内に設けることができ、かつ工具や資材などを収容することができるのであれば、収容手段は特に限定されない。例えば、収容手段としてバケツなどのバケツ状のものを用いてもよい。
【００４４】
また、実施形態２では、変更手段としてファスナーを構成するファスナー構成部材７１ａ、７１ｂを用いたが、開口部から底部までの長さを変えることができるものであれば特に限定されない。例えば、変更手段として、複数のボタンを収容部５８ａの下端部に、水平方向に収容部５８ｂの全周囲に亘って設けると共に、収容部５８ａの下方に位置する収容部５８ｂの下端部に対応する複数のボタン穴を水平方向に収容部５８ｂの全周囲に亘って設けて、ボタンをそれに対応するボタン穴に通すことにより、上述したように必要に応じて収容袋５０の開口部５２Ａから底部５９Ａまでの長さを変えることができるようにしてもよい。
【図面の簡単な説明】
【００４５】
【図１】実施形態１に係る物品吊下げ具を示す概略斜視図である。
【図２】実施形態１に係る収容袋を示す概略斜視図である。
【図３】実施形態１に係る収容袋を示す概略上面図である。
【図４】実施形態１に係る収容袋を示す概略下面図である。
【図５】図３に示すＡ−Ａ’線における概略断面図である。
【図６】実施形態１に係る収容袋の開口部を閉じた際の概略上面図である。
【図７】実施形態２に係る収容袋を示す概略側面図である。
【図８】開口部と底部との長さが縮められた際の実施形態２に係る収容袋を示す概略側面図である。
【図９】従来の物品吊下げ具を示す概略斜視図である。
【符号の説明】
【００４６】
１  物品吊下げ具
１０  水平部材
２０  外枠
２１  棒状部材
３０  格子状体
５０、５０Ａ  収容袋
５１、５１Ａ  収容袋本体
５２、５２Ａ  開口部
５３ａ、５３ｂ  開口保持部材
５４ａ〜５４ｆ  取付部材
５５ａ〜５５ｆ  取付孔
５６ａ〜５６ｆ  ボタン
５７ａ〜５７ｄ  ベルクロ
５８ａ〜５８ｃ  収容部
５９Ａ  底部
６０  タイロッド
７１ａ、７１ｂ  ファスナー構成部材
１００  電柱
【図１】
2007075962.tif 000003
【図２】
2007075962.tif 000004
【図３】
2007075962.tif 000005
【図４】
2007075962.tif 000006
【図５】
2007075962.tif 000007
【図６】
2007075962.tif 000008
【図７】
2007075962.tif 000009
【図８】
2007075962.tif 000010
【図９】
2007075962.tif 000011